(57)【要約】【課題】一対の携帯送受信端末システムを構成することで、行方不明となった個体又は物件の所在位置の追跡探知を可能とする。【解決手段】基地局Ｃを介して無線の送受信を可能とし、特定の識別信号を設定する探知用と報知用からなる一対の携帯送受信端末システムを構成する。  探知用携帯送受信端末Ａは、特定識別信号を送信するためのキーと報知用携帯送受信端末Ｂの返信用所要情報を受信することで機能する表示部２を備える。  報知用携帯送受信端末Ｂは、保護又は管理を要する個体又は物件に違和感無く取り付けるため、所定機能を損なうことなく最大限の小型・軽量・薄型でパワーキー４を設け、返信用所要情報連続送信機能を有する。【選択図】図１
2005117412.tif 000002
【特許請求の範囲】
【請求項１】
無線の送受信を可能とし、交信用とする特定識別信号を設定し探知用と報知用とで一対とする携帯送受信端末システムで、探知用の携帯送受信端末が送信する特定識別信号を受信することで直ちに返信用とする所要情報信号の自動連続送信機能を備える報知用の携帯送受信端末と、特定識別信号を送信するためのキー及び報知用の携帯送受信端末からの返信用の所要情報信号を受信することで所定の表示機能を行う表示部を設ける探知用の携帯送受信端末と、探知用と報知用の携帯送受信端末の間で無線信号を送受信可能とする基地局と、から成ることを特徴とする所在位置探知用携帯送受信端末システム。
【請求項２】
探知用の携帯送受信端末の表示部が、受信した返信用の所要情報信号に基づいて該報知用の携帯送受信端末の所在位置及びその遠近状況の情報を、移動諸条件に応じてリアルタイムで可視可能とする表示機能で構成されてなることを特徴とする請求項１記載の所在位置探知用携帯送受信端末システム。
【請求項３】
報知用の携帯送受信端末が、装着又は取り付ける不特定の個体又は物件において、違和感なく又は邪魔となることのないような形態を構成するため、その有する所定機能を損なうことなく最大限の軽量・薄型で小型化を可能としてなることを特徴とする請求項１記載の所在位置探知用携帯送受信端末システム。
【発明の詳細な説明】
【技術分野】
【０００１】
本発明は、一対の携帯送受信端末により、所在位置探知が容易な所在位置探知用送受信端末システムに関するものである。
【背景技術】
【０００２】
無線信号の送受信を可能とする携帯電話端末は、基地局をアクセスすることで様々な情報を送受信できることから、通話及び画像のみならず、例えば携帯電話端末の盗難防止などに対応可能とする多様な制御システムが、該携帯電話端末機能内に構成されるなど、通信機器の各分野で広く実用に供されている。
携帯電話端末の盗難防止システムには、予め所要の情報受信に基づいて認識する基地局の送出する報知信号により、該盗難携帯電話端末機能に正常使用不能とするための所定制御送信がなされるものもある。
【０００３】
しかし、この携帯電話端末の盗難防止システムは、基地局を介して認識された該盗難携帯電話端末自体の所在位置探知を行うものではないという欠点があった。
【特許文献１】特開平０８−２１４３６８号公報
【発明の開示】
【発明が解決しようとする課題】
【０００４】
解決しようとする課題は、行方不明となった個体又は物件の所在位置を探知可能とする携帯送受信端末システムがない点である。
【課題を解決するための手段】
【０００５】
本発明は、行方不明となった個体又は物件の所在位置の探知を可能とするため、基地局を介することで無線信号の送受信を可能とし、特定の識別信号を設定する一対の携帯送受信端末システムを構成する。
そして、携帯送受信端末の一方は所在位置の報知用とし、必要とする個体又は物件に違和感なく装着又は取り付け可能とするために最大限の軽量・薄型の小型形態を有し、受信することで直ちに返信用とする所要情報信号の自動連続送信機能を付与し、もう一方の携帯送受信端末は、探知用とし、特定の識別信号の送信機能と返信された所要情報信号をリアルタイムで探知可能とする可視表示機能を備えてなることを最も主要な特徴とする。
【発明の効果】
【０００６】
本発明の所在探知用携帯送受信端末システムは、基地局を介して行われる所在位置の報知用と探知用とする一対の携帯送受信端末システムを構成することで、行方不明の個体又は物件に装着又は取り付けた報知用の携帯送受信端末から返信される所要情報の自動連続送信を探知用の携帯送受信端末が受信することで直ちに機能する表示部において所定の可視表示がなされるため、該行方不明の個体又は物件の所在位置探知が確実に容易にできるという利点がある。
【発明を実施するための最良の形態】
【０００７】
一対で構成する携帯送受信端末システムにおける報知用とする携帯送受信端末の形態において、装着又は取り付けの際に違和感や抵抗感を与えないという目的を、所定の機能を損なうことなく、最大限の軽量・薄型で小型化することで実現した。
【実施例１】
【０００８】
図１は、基地局を介して行う本発明の所在位置探知用携帯送受信端末システムの１実施例のシステムの構成を示すブロック図で、図２は探知用の携帯送受信端末の説明図、図３は報知用の携帯送受信端末の説明図である。
本発明の主体は基地局を介して行う該システム系の実装方法にあるので、電子、機構系の説明は省略する。
【０００９】
図１において、一対で構成される所在位置探知用携帯送受信端末システムは、探知用携帯送受信端末Ａと報知用携帯送受信端末Ｂ及び基地局Ｃにより構成される。
基地局Ｃは、探知用携帯送受信端末Ａと報知用携帯送受信端末Ｂとの間で無線信号の送受信を行う。
【００１０】
図２の探知用携帯送受信端末Ａは、通常使用される携帯電話端末と同じような形態を有してはいるが通話機能は無く、報知用携帯送受信端末Ｂへの特定識別信号を送信するためのキー３と報知用携帯送受信端末Ｂからの返信用とする所要情報信号を受信することで直ちに表示機能する表示部２が設けられている。
キー３は、電源供給をオンと同時に特定識別信号の自動連続送信機能と、電源供給停止可能とするオフ機能も兼ねている。なお、報知用携帯送受信端末Ｂの応答とする返信用の所要情報を受信し直ちに表示部２が機能することで、キー３において行われた特定識別信号の送信は同時に停止されようになされている。
表示部２は、基地局Ｃを介して報知用携帯送受信端末Ｂから返信された所要情報信号に基づいて、直ちに該報知用携帯送受信端末Ｂの現在位置及びその遠近状況を移動に応じリアルタイムで所要とする追跡情報の可視表示機能を有している。
【００１１】
図３の報知用携帯送受信端末Ｂは、保護又は監視や管理を必要とする個体又は物件に気づかれずに装着又は取り付けを可能とするため、その際、違和感や動作の妨げ及び邪魔な存在となることのないように、所要とする送受信機能を損なうことなく最大限の小型・軽量・薄型化された最小の形態で構成され、操作用としてパワーキー４が設けられている。
パワーキー４は、電源供給のオン・オフを行うもので、装着又は取り付けてオン操作後、勝手な操作や不特定の外圧及び接触などによるトラブルでオフ操作となることのないようにして設けられている。
パワーキー４をオンすることで、該報知用携帯送受信端末Ｂが備える特定識別信号の受信及び返信用の所要情報の所定送信機能作動を起動させている。
なお、返信用所要情報の自動連続送信機能の作動は、探知用携帯送受信端末Ａ送信の特定識別信号を受信することで直ちに機能作動し、パワーキー４でオフされるまで該送信機能が継続されるものである。
【００１２】
このような探知用と報知用とで一対とする携帯送受信端末システム形態を採用したので、報知用の携帯送受信端末を装着又は取り付けた個体又は物件の行方を、基地局を介して行う探知用の携帯送受信端末操作により追跡探知し、速やかな発見を可能とする効果がある。
【産業上の利用可能性】
【００１３】
痴呆及び徘徊症状の患者を収容する介護施設やペットの管理を必要とする施設用途にも適用できる。
【図面の簡単な説明】
【００１４】
【図１】所在位置探知用携帯送受信端末システムの１実施例の形態における該システムの構成を示した説明図である。（実施例１）
【図２】探知用携帯送受信端末Ａの説明図である。（実施例２）
【図３】報知用携帯送受信端末Ｂの説明図である。（実施例３）
【符号の説明】
【００１５】
Ａ    探知用携帯送受信端末
Ｂ    報知用携帯送受信端末
Ｃ    基地局
１    探知用携帯送受信端末本体
１’  報知用携帯送受信端末本体
２    表示部
３    キー
４    パワーキー
５    アンテナ
【図１】
2005117412.tif 000003
【図２】
2005117412.tif 000004
【図３】
2005117412.tif 000005